(57)【要約】【課題】高齢者にとって使いやすいカメラを提供すること。【解決手段】ＣＰＵ１１０は、高齢者モードと通常のモードのうち、使用者の指示に基づいていずれかのモードを設定する。そして、ＣＰＵ１１０は、高齢者モードが設定されると、カメラ１００を構成する機器の動作速度を、通常のモードにおける動作速度よりも遅くするための設定、機器の動作時間を通常のモードよりも長くするための設定、機器の動作時間を機器で設定可能な最大時間にするための設定の少なくともいずれか１つの設定を行う。また、ＣＰＵ１１０は、高齢者モードが設定されると、表示装置に表示する文字の大きさを拡大する。【選択図】図１
2009200896.tif 000002
【特許請求の範囲】
【請求項１】
設定モードとして第１のモードと第２のモードとを備えるカメラであって、
前記第１のモードと前記第２のモードのうち、使用者の指示に基づいていずれかのモードを設定するモード設定手段と、
前記モード設定手段によって前記第１のモードが設定されると、カメラを構成する機器の動作速度を前記第２のモードにおける動作速度よりも遅くするための設定、前記機器の動作時間を前記第２のモードよりも長くするための設定、および前記機器の動作時間を前記機器で設定可能な最大時間にするための設定の少なくともいずれか１つの設定を行う設定制御手段と、
前記モード設定手段によって前記第１のモードが設定されると、表示装置に表示する表示要素の大きさを拡大する表示制御手段とを備えることを特徴とするカメラ。
【請求項２】
請求項１に記載のカメラにおいて、
前記表示制御手段は、前記モード設定手段によって前記第２のモードから前記第１のモードに設定が変更されると、表示装置に表示する表示要素の表示色を変更することを特徴とするカメラ。
【請求項３】
請求項１または２に記載のカメラにおいて、
前記機器は、ズームレンズ、前記ズームレンズを駆動するための駆動装置、および前記駆動装置を制御するための駆動制御装置を含み、
前記設定制御手段は、前記モード設定手段によって前記第２のモードから前記第１のモードに設定が変更されると、前記駆動制御装置に対して、前記ズームレンズの駆動速度を、前記第２のモードにおける駆動速度よりも遅くするように指示することを特徴とするカメラ。
【請求項４】
請求項１〜３のいずれか一項に記載のカメラにおいて、
前記機器は、前記表示装置、および前記表示装置への情報の表示を制御する表示制御装置を含み、
前記設定制御手段は、前記モード設定手段によって前記第２のモードから前記第１のモードに設定が変更されると、前記表示制御装置に対して、前記表示装置に一時的に表示する情報の表示時間を、前記第２のモードにおける表示時間よりも長くするように指示することを特徴とするカメラ。
【請求項５】
請求項１〜４のいずれか一項に記載のカメラにおいて、
前記機器は、電気回路、および前記電気回路への電力供給を制御する電力供給制御装置を含み、
前記設定制御手段は、前記モード設定手段によって前記第２のモードから前記第１のモードに設定が変更されると、前記電力供給制御装置に対して、カメラをスリープモードに移行させるために電力供給を停止するまでの時間を前記電力供給制御装置が設定可能な最大時間にするように指示することを特徴とするカメラ。
【請求項６】
請求項１〜５のいずれか一項に記載のカメラにおいて、
前記機器は、撮像素子、および前記撮像素子を制御して画像データを取得する撮像制御装置を含み、
前記設定制御手段は、前記モード設定手段によって前記第２のモードから前記第１のモードに設定が変更されると、前記撮像制御装置に対して、セルフタイマの設定時間を前記撮像制御装置が設定可能な最大時間にするように指示することを特徴とするカメラ。
【請求項７】
請求項１〜６のいずれか一項に記載のカメラにおいて、
前記機器は、使用者によって操作される操作部材、および前記操作部材の入力待ち受け時間を制御する操作部材制御装置を含み、
前記設定制御手段は、前記モード設定手段によって前記第２のモードから前記第１のモードに設定が変更されると、前記操作部材制御装置に対して、前記操作部材の入力待ち受け時間を前記操作部材制御装置が設定可能な最大時間にするように指示することを特徴とするカメラ。
【請求項８】
請求項１〜７のいずれか一項に記載のカメラにおいて、
前記表示要素は、文字、およびアイコンの少なくともいずれか一方であることを特徴とするカメラ。
【発明の詳細な説明】
【技術分野】
【０００１】
本発明は、カメラに関する。
【背景技術】
【０００２】
次のような画像処理装置が知られている。この画像処理装置は、画像を高齢者の視覚特性に応じて変換することにより、高齢者が視認しやすい画像を生成する（例えば、特許文献１）。
【０００３】
【特許文献１】特開２００２−２７８５３７号公報
【発明の開示】
【発明が解決しようとする課題】
【０００４】
しかしながら、従来の画像処理装置をカメラに適用した場合には、高齢化に伴って視覚障害だけでなく、俊敏性が失われることも多いため、俊敏性が失われた高齢者にとって使いやすいカメラを提供することはできなかった。
【課題を解決するための手段】
【０００５】
本発明によるカメラは、設定モードとして第１のモードと第２のモードとを備え、第１のモードと第２のモードのうち、使用者の指示に基づいていずれかのモードを設定し、第１のモードが設定されると、カメラを構成する機器の動作速度を第２のモードにおける動作速度よりも遅くするための設定、機器の動作時間を第２のモードよりも長くするための設定、および機器の動作時間を機器で設定可能な最大時間にするための設定の少なくともいずれか１つの設定を行い、第１のモードが設定されると、表示装置に表示する表示要素の大きさを拡大することを特徴とする。
本発明では、第２のモードから第１のモードに設定が変更されると、表示装置に表示する表示要素の表示色を変更するようにしてもよい。
機器は、ズームレンズ、ズームレンズを駆動するための駆動装置、および駆動装置を制御するための駆動制御装置を含み、第２のモードから第１のモードに設定が変更されると、駆動制御装置に対して、ズームレンズの駆動速度を、第２のモードにおける駆動速度よりも遅くするように指示するようにしてもよい。
機器は、表示装置、および表示装置への情報の表示を制御する表示制御装置を含み、第２のモードから第１のモードに設定が変更されると、表示制御装置に対して、表示装置に一時的に表示する情報の表示時間を、第２のモードにおける表示時間よりも長くするように指示するようにしてもよい。
機器は、電気回路、および電気回路への電力供給を制御する電力供給制御装置を含み、第２のモードから第１のモードに設定が変更されると、電力供給制御装置に対して、カメラをスリープモードに移行させるために電力供給を停止するまでの時間を電力供給制御装置が設定可能な最大時間にするように指示するようにしてもよい。
機器は、撮像素子、および撮像素子を制御して画像データを取得する撮像制御装置を含み、第２のモードから第１のモードに設定が変更されると、撮像制御装置に対して、セルフタイマの設定時間を撮像制御装置が設定可能な最大時間にするように指示するようにしてもよい。
機器は、使用者によって操作される操作部材、および操作部材の入力待ち受け時間を制御する操作部材制御装置を含み、第２のモードから第１のモードに設定が変更されると、操作部材制御装置に対して、操作部材の入力待ち受け時間を操作部材制御装置が設定可能な最大時間にするように指示するようにしてもよい。
表示要素は、文字、およびアイコンの少なくともいずれか一方であることが好ましい。
【発明の効果】
【０００６】
本発明によれば、視覚障害を有する高齢者が表示装置の表示内容を視認しやすくすると共に、俊敏性が失われた高齢者にとっても使いやすいカメラを提供することができる。
【発明を実施するための最良の形態】
【０００７】
図１は、本実施の形態におけるカメラの一実施の形態の構成を示すブロック図である。カメラ１００は、レンズ１０１と、ズームレンズ駆動回路１０２と、タイミングジェネレータ１０３と、撮像素子１０４と、ＡＦＥ（Ａｎａｌｏｇ  Ｆｒｏｎｔ  Ｅｎｄ）回路１０５と、画像処理回路１０６と、メモリカードスロット１０７と、ＳＤＲＡＭ１０８と、フラッシュメモリ１０９と、ＣＰＵ１１０と、操作部材１１１と、モニタ１１２と、電源回路１１３とを備えている。
【０００８】
ＣＰＵ１１０は、フラッシュメモリ１０９に記録されている制御プログラムをＳＤＲＡＭ１０８に読み込んで実行することにより、カメラ１００の全体を制御する。なお、ＳＤＲＡＭ１０８は、揮発性のメモリであって、ＣＰＵ１１０がプログラム実行時にプログラムを展開するためのワークメモリとして使用されたり、データを一時的に記録するためのバッファメモリとして使用される。また、フラッシュメモリ１０９は、不揮発性のメモリであって、ＣＰＵ１１０が実行するプログラムのデータや、プログラム実行時に読み込まれる種々のパラメータなどが記録されている。
【０００９】
レンズ１０１は、複数の光学レンズにより構成され、これらのレンズ群を介して被写体像を撮像素子１０４へ結像する。本実施の形態におけるレンズ１０１は、変倍機構を備えたズームレンズである。すなわち、レンズ１０１は、ズーム倍率を変更するためのズームレンズを備えており、レンズ駆動回路１０２は、このズームレンズの位置を移動させることによってズーム倍率を変更する。なお、レンズ駆動回路１０２は、ズームレンズ駆動用のモーターの回転速度（ｐｐｍ）を変更することによって、ズームレンズの移動速度（ズーム速度）を変更することができる。
【００１０】
撮像素子１０４は、例えばＣＣＤやＣＭＯＳなどのイメージセンサであり、被写体像を光電変換してアナログ画像信号を生成し、生成したアナログ画像信号をＡＦＥ回路１０５へ出力する。このとき、撮像素子１０４は、タイミングジェネレータ１０３から与えられるタイミング信号に基づいて、被写体像を撮像する。
【００１１】
ＡＦＥ回路１０５は、アナログ画像信号に対するゲイン調整、例えば、設定されたＩＳＯ感度に応じた信号増幅などを行う。ＡＦＥ回路１０５は、さらに内蔵するＡ／Ｄ変換回路によってアナログ画像信号をデジタル画像データに変換し、デジタル画像データを画像処理回路１０６へ出力する。
【００１２】
画像処理回路１０６は、デジタル画像データに対して各種の画像処理、例えば、色補間処理、階調変換処理、輪郭強調処理、ホワイトバランス調整処理などを施した後、画像処理後の画像データ（以下、「画像データ」と呼ぶ）をバッファメモリとしてのＳＤＲＡＭ１０８へ出力する。
【００１３】
ＣＰＵ１１０は、ＳＤＲＡＭ１０８に記録された画像データを、内蔵メモリとしてのフラッシュメモリ１０９、または外部メモリとしてのメモリカードスロット１０７に挿入されているメモリカード１０７ａに記録する。なお、メモリカードスロット１０７は、外部メモリとしてのメモリカード１０７ａを挿入するためのスロット部を備えており、ＣＰＵ１１０からの指示に基づいて、メモリカード１０７ａに画像データの書き込みを行なったり、メモリカード１０７ａから画像データの読み出しを行なったりする。
【００１４】
操作部材１１１は、使用者によって操作される種々の操作用部材、例えば電源ボタン、レリーズボタン、ズームボタン、十字キー、決定ボタン、および後述する高齢者モードボタン等を含んでいる。
【００１５】
モニタ１１２は、カメラ１００の背面に搭載された液晶モニタ（背面モニタ）であり、ＣＰＵ１１０は、モニタ１１２にメモリカード１０７ａに記憶されている画像データやカメラ１００を設定するための設定メニューなどを出力して情報を表示する。
【００１６】
電源回路１１３は、カメラ１００を構成する各要素に電力を供給するための回路である。ＣＰＵ１１０は、この電源回路１１３を制御して、モニタ１１２のバックライトを消灯したり、撮像素子１０４への電力供給を停止したりすることによって、カメラ１００をスリープに移行することができる。例えば、ＣＰＵ１１０は、操作部材１１１が使用者によって操作されない時間が、所定時間以上続いた場合には、カメラ１００をスリープモードに移行させる。なお、スリープモードに移行するまでの時間は、使用者によってあらかじめ設定されているものとする。本実施の形態では、使用者は、スリープモードに移行するまでの時間を、３０秒、１分、３分、３０分の中からいずれかを選択して設定できるものとする。
【００１７】
本実施の形態では、ＣＰＵ１１０は、使用者によって操作部材１１１に含まれる高齢者モードボタンが押下されたことを検出すると、カメラ１００のモード（設定モード）を高齢者モードに設定する。高齢者モードとは、カメラ１００の操作性を高齢者の使用に適したものに設定するためのモードである。例えば、高齢化に伴って視覚障害が生じたり俊敏性が失われたりすることが多いことを加味して、高齢者にとって使いやすいカメラとするように、カメラ１００の設定を自動的に変更するためのモードである。
【００１８】
具体的には、カメラ１００のモードが高齢者モードに設定された場合には、ＣＰＵ１１０は、次の（Ａ）から（Ｇ）の制御を行う。なお、使用者は、カメラ１００のモードが高齢者モードに設定されているときに、再度高齢者モードボタンを押下することによって、カメラ１００のモードを通常のモードに戻すように指示することができる。
【００１９】
（Ａ）ズーム速度の変更
ＣＰＵ１１０は、カメラ１００のモードが高齢者モードに設定された場合には、レンズ駆動回路１０２に対して、ズーム速度を通常のモード時よりも遅くするように指示する。レンズ駆動回路１０２は、ＣＰＵ１１０からの指示を受けると、ズームレンズ駆動用のモーター（ＤＣモーター）に与える矩形パルスのデューティー比を通常モード時よりも低く設定することによって、モーターの回転速度（ｐｐｍ）を通常モード時の回転速度よりも遅く設定する。これにより、ズームボタン操作時のズーム速度を遅くすることができ、俊敏性が失われた高齢者でも容易に目的のズーム倍率に設定することが可能となる。
【００２０】
（Ｂ）ポップアップ表示時間の変更
本実施の形態では、ＣＰＵ１１０は、使用者に対して通知するメッセージ、例えば「設定を完了しました」などをモニタ１１２に表示する場合、メッセージを記したポップアップ画面をあらかじめ設定された時間だけモニタ１１２に表示する。ＣＰＵ１１０は、カメラ１００のモードが高齢者モードに設定された場合には、このポップアップ画面の表示時間を通常モード時の表示時間よりも長く設定する。例えば、通常モード時のポップアップ画面の表示時間が５秒である場合には、高齢者モード時のポップアップ画面の表示時間を１０秒に設定する。これによって、俊敏性が失われた高齢者でも容易にメッセージの内容を確認することが可能となる。
【００２１】
（Ｃ）スリープタイマの設定時間の変更
ＣＰＵ１１０は、カメラ１００のモードが高齢者モードに設定された場合には、カメラ１００を上述したスリープモードに移行させるまでの時間を、カメラ１００で設定可能な最大時間、すなわちＣＰＵ１１０が設定可能な最大時間に設定する。例えば、上述したように、使用者がスリープモードに移行するまでの時間を、３０秒、１分、３分、３０分のいずれかから選択して設定できる場合には、この中の最大時間である３０分を高齢者モード時のスリープモードに移行するまでの時間、すなわちスリープタイマの設定時間として設定する。これによって、俊敏性が失われた高齢者がゆっくりとカメラ１００を操作した場合に、頻繁にスリープモードに移行してしまうことを防ぐことができる。
【００２２】
（Ｄ）セルフタイマの設定時間の変更
ＣＰＵ１１０は、カメラ１００のモードが高齢者モードに設定された場合には、セルフタイマを使用して撮影を行う場合のセルフタイマの設定時間をカメラ１００で設定可能な最大時間、すなわちＣＰＵ１１０が設定可能な最大時間に設定する。例えば、使用者がセルフタイマの設定時間を、２秒、１０秒、２０秒のいずれかから選択して設定できる場合には、この中の最大時間である２０秒を高齢者モード時のセルフタイマの設定時間として設定する。これによって、俊敏性が失われた高齢者がセルフタイマを使用して撮影を行う場合でも、使用者はレリーズボタンを押してから撮影位置までゆっくりと戻ることができる。
【００２３】
（Ｅ）ボタン入力の待ち受け時間の変更
ＣＰＵ１１０は、カメラ１００のモードが高齢者モードに設定された場合には、使用者による操作部材１１１の入力待ち受け時間（ウエイト時間）を通常モード時の表示時間よりも長く設定する。なお、ウエイト時間とは、使用者が操作部材１１０に含まれるいずれかのボタンを操作した後、次のボタンの操作を受け付けを開始するまでの待ち時間をいう。
【００２４】
すなわち、このウエイト時間を短くすれば、ボタン操作とボタン操作との間の待ち時間を短くできるため、使用者は、ボタン操作を連続して行うことができる。これにより、操作に慣れている使用者などは、ストレスを感じることなくカメラ１００を操作することが可能になる。一方、俊敏性を失った高齢者が１回の操作のためにボタンを長時間押してしまった場合には、そのボタン操作を複数回分の操作として受け付けてしまう可能性がある。
【００２５】
これに対して、ウエイト時間を長く設定すれば、ボタン操作を行った後、次の操作ができるようになるまでに待ち時間を設けることができる。これにより、俊敏性を失った高齢者が１回の操作のためにボタンを長時間押してしまった場合でも、押下時間がウエイト時間内であれば、そのボタン操作を１回分の操作として受け付けることができ、誤操作を防止できる。なお、本実施の形態では、ＣＰＵ１１０は、例えば、通常モード時のウエイト時間を０秒に設定し、高齢者モード時のウエイト時間を０．５秒に設定する。
【００２６】
（Ｆ）画面上のアイコン色の変更
ＣＰＵ１１０は、カメラ１００のモードが高齢者モードに設定された場合には、モニタ１１２に表示するアイコンの色を通常モード時の表示色とは異なる色に変更する。例えば、カメラ１００のモードが高齢者モードに設定された場合には、ＣＰＵ１１０は、モニタ１１２に表示されている画像やスルー画内の被写体が高輝度（ＢＶ８以上）である場合には、画像やスルー画に重畳して表示するアイコンの色を黒を多く含む色に変更する。一方、ＣＰＵ１１０は、モニタ１１２に表示されている画像やスルー画内の被写体が低輝度（ＢＶ０以下）である場合には、画像やスルー画に重畳して表示するアイコンの色を白を多く含む色に変更する。
【００２７】
あるいは、白内障などの視覚障害を有している高齢者は、白色や黄色が見難く、青色系の色が見やすいことを加味して、ＣＰＵ１１０は、カメラ１００のモードが高齢者モードに設定された場合には、通常モード時には白色や黄色で表示されているアイコン内の領域を青色系の色、例えば青色や水色に変更するようにする。これによって、視覚障害を有している高齢者でも見やすいアイコン表示にすることができる。
【００２８】
（Ｇ）メニュー画面の文字サイズとメニュー画面の配色の変更
ＣＰＵ１１０は、カメラ１００のモードが高齢者モードに設定された場合には、モニタ１１２に表示するメニュー画面の文字サイズと配色とを通常モード時とは異なるものに変更する。例えば、カメラ１００のモードが高齢者モードに設定された場合には、ＣＰＵ１１０は、メニュー画面上に表示する文字サイズを通常モード時の文字サイズよりも拡大して表示する。また、ＣＰＵ１１０は、上述したように、視覚障害を有している高齢者は、白色や黄色が醜く、青色系の色が見やすいことを加味して、メニュー画面の表示内容のうち、通常モード時には白色や黄色で表示されている箇所を青色や水色に変更する。これによって、視力が低下した高齢者でもメニュー画面上の文字を読みことができ、さらに視覚障害を有している高齢者でも見やすい配色のメニュー画面にすることができる。
【００２９】
以上説明したように、ＣＰＵ１１０は、カメラ１００のモードが高齢者モードに設定された場合に、種々の設定を高齢者の操作に適した内容に変更するため、高齢者は、１つ１つ設定を変更することなしに、高齢者モードボタンを押下するだけで、カメラ１００を自身にとって使いやすいものにすることができる。
【００３０】
また、ＣＰＵ１１０は、カメラ１００のモードが高齢者モードに設定されている状態で、使用者によってカメラ１００の電源がオフされた場合には、カメラ１００のモードが高齢者モードに設定されていたことを示す情報をフラッシュメモリ１０９に記録しておく。例えば、ＣＰＵ１１０は、高齢者モードフラグに１を設定してフラッシュメモリ１０９に記録しておく。そして、次にカメラ１００の電源がオンされた場合には、ＣＰＵ１１０は、フラッシュメモリ１０９に記録されている高齢者モードフラグの設定値を読み込み、設定値が１である場合には、カメラ１００のモードを自動的に高齢者モードに設定する。一方、高齢者モードフラグの設定値が０である場合には、ＣＰＵ１１０は、通常のモードでカメラ１００を起動する。
【００３１】
これによって、カメラ１００を前回の電源オフ時に設定されていたモードを引き継いで起動させることができ、使用者がカメラ１００を起動する度にモードの設定をする手間を省くことができる。
【００３２】
図２は、本実施の形態におけるカメラ１００の処理を示すフローチャートである。図２に示す処理は、ＣＰＵ１１０が、使用者によって操作部材１１１に含まれる高齢者モードボタンが押下されたことを検出したときに、プログラムのデータをフラッシュメモリ１０９からＳＤＲＡＭ１０８に読み出して実行することによって開始される。
【００３３】
ステップＳ１０において、ＣＰＵ１１０は、（Ａ）で上述したように、レンズ駆動回路１０２に対して、ズーム速度を通常のモード時よりも遅くするように指示する。その後、ステップＳ２０へ進み、ＣＰＵ１１０は、（Ｂ）で上述したように、ポップアップ画面の表示時間を通常モード時の表示時間よりも長く設定する。その後、ステップＳ３０へ進む。
【００３４】
ステップＳ３０では、ＣＰＵ１１０は、（Ｃ）で上述したように、カメラ１００をスリープモードに移行させるまでの時間を、カメラ１００で設定可能な最大時間に設定する。その後、ステップＳ４０へ進み、ＣＰＵ１１０は、（Ｄ）で上述したように、セルフタイマの設定時間をカメラ１００で設定可能な最大時間に設定する。その後、ステップＳ５０へ進む。
【００３５】
ステップＳ５０では、ＣＰＵ１１０は、（Ｅ）で上述したように、使用者による操作部材１１１の入力待ち受け時間（ウエイト時間）を通常モード時の表示時間よりも長く設定する。その後、ステップＳ６０へ進み、ＣＰＵ１１０は、（Ｆ）で上述したように、モニタ１１２に表示するアイコンの色を通常モード時の表示色とは異なる色に変更する。その後、ステップＳ７０へ進む。
【００３６】
ステップＳ７０では、ＣＰＵ１１０は、（Ｇ）で上述したように、モニタ１１２に表示するメニュー画面の文字サイズと配色とを通常モード時とは異なるものに変更する。その後、ステップＳ８０へ進み、ＣＰＵ１１０は、使用者によって再度、高齢者モードボタンが押下されることによって、高齢者モードの終了が指示されたか否かを判断する。否定判断した場合には、ステップＳ８０の処理を繰り返す。これに対して、肯定判断した場合には、処理を終了する。
【００３７】
以上説明した本実施の形態によれば、以下のような作用効果を得ることができる。
（１）ＣＰＵ１１０は、高齢者モードと通常のモードのうち、使用者の指示に基づいていずれかのモードを設定した。そして、ＣＰＵ１１０は、高齢者モードが設定されると、カメラ１００を構成する機器の動作速度を、通常のモードにおける動作速度よりも遅くするための設定、機器の動作時間を通常のモードよりも長くするための設定、機器の動作時間を機器で設定可能な最大時間にするための設定を行い、高齢者モードが設定されると、表示装置に表示する文字の大きさを拡大するようにした。これによって、高齢化に伴って視覚障害が生じたり俊敏性が失われたりした高齢者にとって使いやすいカメラを提供することが可能となる。
【００３８】
（２）ＣＰＵ１１０は、カメラ１００のモードが通常のモードから高齢者モードに変更されると、モニタ１１２に表示する画面上のアイコンの表示色を変更するようにした。これによって、視覚障害が生じた高齢者にとって見やすい画面表示にすることができる。
【００３９】
（３）ＣＰＵ１１０は、カメラ１００のモードが通常のモードから高齢者モードに変更されると、レンズ駆動回路１０２に対して、ズームレンズの駆動速度を、通常モードにおける駆動速度よりも遅くするように指示するようにした。これによって、ズームボタン操作時のズーム速度を遅くすることができ、俊敏性が失われた高齢者でも容易に目的のズーム倍率に設定することが可能となる。
【００４０】
（４）ＣＰＵ１１０は、カメラ１００のモードが通常のモードから高齢者モードに変更されると、ポップアップ画面の表示時間を通常モード時の表示時間よりも長く設定するようにした。これによって、俊敏性が失われた高齢者でも容易にメッセージの内容を確認することが可能となる。
【００４１】
（５）ＣＰＵ１１０は、カメラ１００のモードが通常のモードから高齢者モードに変更されると、カメラ１００をスリープモードに移行させるまでの時間を、ＣＰＵ１１０が設定可能な最大時間に設定するようにした。これによって、俊敏性が失われた高齢者がゆっくりとカメラ１００を操作した場合に、頻繁にスリープモードに移行してしまうことを防ぐことができる。
【００４２】
（６）ＣＰＵ１１０は、カメラ１００のモードが高齢者モードに設定された場合には、セルフタイマを使用して撮影を行う場合のセルフタイマの設定時間をＣＰＵ１１０が設定可能な最大時間に設定するようにした。これによって、俊敏性が失われた高齢者がセルフタイマを使用して撮影を行う場合でも、使用者はレリーズボタンを押してから撮影位置までゆっくりと戻ることができる。
【００４３】
（７）ＣＰＵ１１０は、カメラ１００のモードが高齢者モードに設定された場合には、使用者による操作部材１１１の入力待ち受け時間（ウエイト時間）を通常モード時の表示時間よりも長く設定するようにした。これによって、俊敏性を失った高齢者が１回の操作のためにボタンを長時間押してしまった場合でも、押下時間がウエイト時間内であれば、そのボタン操作を１回分の操作として受け付けることができ、誤操作を防止することができる。
【００４４】
―変形例―
なお、上述した実施の形態のカメラは、以下のように変形することもできる。
（１）上述した実施の形態では、操作部材１０１には高齢者モードボタンを含み、使用者は、この高齢者モードボタンを押下することにより、カメラ１００のモードを高齢者モードに設定する例について説明した。しかしながら、カメラ１００のメニュー画面内に高齢者モードに設定するためのメニュー項目を設け、使用者は、高齢者モードボタンを押下する以外に、メニュー操作によっても高齢者モードに設定できるようにしてもよい。また、操作部材１０１に高齢者モードボタンを含めないようにし、使用者は、メニュー操作によってのみ高齢者モードに設定できるようにしてもよい。この場合、使用者は、通常のモードに戻すための操作もメニュー画面上で行うようにすればよい。
【００４５】
（２）上述した実施の形態では、（Ａ）で上述したように、レンズ駆動回路１０２は、ＣＰＵ１１０からの指示を受けると、ズームレンズ駆動用のモーター（ＤＣモーター）に与える矩形パルスのデューティー比を通常モード時よりも低く設定することによって、モーターの回転速度（ｐｐｍ）を通常モード時の回転速度よりも遅く設定して、ズームボタン操作時のズーム速度を遅くする例について説明した。しかしながら、レンズ駆動回路１０２は、ＣＰＵ１１０からの指示を受け付けた場合には、各ズームポジションでズームレンズが一旦停止するように、各ズームポジションでのウエイト時間を設定するようにしてもよい。これによって、俊敏性が失われた高齢者であっても容易に目的のズームポジションでズームレンズを停止させることができる。
【００４６】
また、ＣＰＵ１１０は、カメラ１００のモードが高齢者モードに設定された場合には、レンズ駆動回路１０２に対して、ズーム速度を通常のモード時よりも遅くするように指示する例について説明した。しかしながら、ズーム速度を複数の速度の中から選択して設定可能な場合には、ＣＰＵ１１０は、カメラ１００のモードが高齢者モードに設定された場合には、複数のズーム速度の中から最も遅いズーム速度を選択して設定するようにしてもよい。
【００４７】
（３）上述した実施の形態では、（Ｂ）で上述したように、ＣＰＵ１１０は、カメラ１００のモードが高齢者モードに設定された場合には、ポップアップ画面の表示時間を通常モード時の表示時間よりも長く設定する例について説明した。しかしながら、ポップアップ画面の表示時間を複数の表示時間の中から選択して設定可能な場合には、ＣＰＵ１１０は、カメラ１００のモードが高齢者モードに設定された場合には、複数の表示時間の中から最も長い表示時間を選択して設定するようにしてもよい。
【００４８】
（４）上述した実施の形態では、（Ｆ）で上述したように、ＣＰＵ１１０は、カメラ１００のモードが高齢者モードに設定された場合には、モニタ１１２に表示するアイコンの色を通常モード時の表示色とは異なる色に変更するようにした。また、（Ｇ）で上述したように、ＣＰＵ１１０は、カメラ１００のモードが高齢者モードに設定された場合には、モニタ１１２に表示するメニュー画面の文字サイズと配色とを通常モード時とは異なるものに変更するようにした。しかしながら、ＣＰＵ１１０は、アイコンの表示色、メニュー画面の文字サイズ、およびメニュー画面の配色のうち、少なくともいずれか１つを変更するようにしてもよい。
【００４９】
（５）上述した実施の形態では、（Ｆ）で上述したように、ＣＰＵ１１０は、カメラ１００のモードが高齢者モードに設定された場合には、モニタ１１２に表示するアイコンの色を通常モード時の表示色とは異なる色に変更する例について説明した。しかしながら、ＣＰＵ１１０は、カメラ１００のモードが高齢者モードに設定された場合には、モニタ１１２に表示する表示要素、例えば文字の表示色、およびアイコンの表示色の少なくともいずれか一方を変更するようにしてもよい。
【００５０】
（６）上述した実施の形態では、（Ｇ）で上述したように、ＣＰＵ１１０は、カメラ１００のモードが高齢者モードに設定された場合には、モニタ１１２に表示するメニュー画面の文字サイズを拡大する例について説明した。しかしながら、ＣＰＵ１１０は、カメラ１００のモードが高齢者モードに設定された場合には、モニタ１１２に表示する文字のサイズ、およびアイコンのサイズの少なくともいずれか一方を拡大するようにしてもよい。
【００５１】
（７）上述した実施の形態では、ＣＰＵ１１０は、カメラ１００のモードが高齢者モードに設定された場合には、カメラ１００の設定を（Ａ）から（Ｇ）で上述したように変更する例について説明した。しかしながら、ＣＰＵ１１０は、カメラ１００のモードが高齢者モードに設定された場合には、（Ａ）から（Ｇ）で上述した設定の変更のうち、少なくともいずれか１つを設定を変更すればよい。
【００５２】
また、ＣＰＵ１１０は、（Ａ）から（Ｇ）で上述した設定の変更以外の変更を行うようにしてもよい。例えば、カメラ１００が、通常モードでは、レリーズボタンが半押しされることによってＡＦ（Ａｕｔｏ  Ｆｏｃｕｓ）処理を行い、レリーズボタンが全押しされることによって撮影処理を行なう場合、ＣＰＵ１１０は、高齢者モードに設定された場合には、レリーズボタンが全押しされることにより、ＡＦ処理と撮影処理を行なうようにしてもよい。これによって、高齢者は、容易に撮影を行うことが可能になる。
【００５３】
なお、本発明の特徴的な機能を損なわない限り、本発明は、上述した実施の形態における構成に何ら限定されない。また、上述の実施の形態と複数の変形例を組み合わせた構成としてもよい。
【図面の簡単な説明】
【００５４】
【図１】カメラの一実施の形態の構成を示すブロック図である。
【図２】カメラ１００の処理を示すフローチャート図である。
【符号の説明】
【００５５】
１００  カメラ、１０１  レンズ、１０２  ズームレンズ駆動回路、１０３  タイミングジェネレータ、１０４  撮像素子、１０５  ＡＦＥ（Ａｎａｌｏｇ  Ｆｒｏｎｔ  Ｅｎｄ）回路、１０６  画像処理回路、１０７  メモリカードスロット、１０７ａ  メモリカード、１０８  ＳＤＲＡＭ、１０９  フラッシュメモリ、１１０  ＣＰＵ、１１１  操作部材、１１２  モニタ、１１３  電源回路
【図１】
2009200896.tif 000003
【図２】
2009200896.tif 000004